(57)【要約】      （修正有）【課題】トランジスターを使用して、機器が発生させるパルスを拾い、パルスをパルスらしい形にして、パルス幅を短くして、再びパルスを発生させて、出力するパルス中継器を提供する。【解決手段】トランジスター７でパルスを受け、再度、トランジスター７で出力したパルスをコンデンサー１１で放電して、再度、トランジスター７でパルス化する。【選択図】図２
0003203670.tif 000002
【実用新案登録請求の範囲】
【請求項１】
１．抵抗（１）の片方は、２．何も繋がっていない導線の端（２）があって、３．抵抗（１）のもう片方は、４．抵抗（３）を介して負極（６）と繋がっていて、５．抵抗（１）と抵抗（３）が繋がっている所（５）は、６．トランジスター（７）のエミッターと繋がっており、７．トランジスター（７）のベースは、８．負極（６）と繋がっており、９．トランジスター（７）のコレクターは、１０．抵抗（４）を介して、１１．正極（８）と繋がっていて、１２．さらに、１３．トランジスター（７）のコレクターと抵抗（４）とが繋がっている所（９）からは、１４．一本の導線が出ていて、１５．その端（１０）まで繋がっており、１６．この端（１０）は、１７．端（２）と端（１０）の間を構成する回路（図１）の、１８．端（２）と繋がっていて、１９．その端（１０）はコンデンサー（１１）と繋がっていて、２０．コンデンサー（１１）のもう片方から出た導線は、２１．また、２２．端（２）と端（１０）の間を構成する回路（図１）の端（２）と繋がっていて、２３．さらに、２４．その端（１０）は、２５．端（２）と端（１０）の間を構成する回路（図１）の端（２）と、２６．繋がっており、２７．回路全体として、２８．何も繋がっていない端（２）と、２９．何も繋がっていない端（１０）が存在するパルス中継器（図２）。
【考案の詳細な説明】
【技術分野】
【０００１】  本考案は、単パルスの発生方法の技術に属する。
【背景技術】
【０００２】  トランジスターの性質による、エミッターとベース間の電流の発現現象の利用。
【先行技術文献】
【特許文献】
【０００３】
【特許文献１】  特許公開（特許公開２０１４−０８７０４０）
【特許文献２】  特許公開（特許公開２０１３−１１８６０２）
【実用新案文献１】
登録第３１９７１９４号
【考案の概要】
【考案が解決しようとする課題】
【０００４】  何らかの影響で、パルスの立ち上がりが、なだらかになる現象の改善（図３）。【０００５】  １μｓ（マイクロ秒）以上の単パルスの中継の確実な可能性。【０００６】  連続した電圧の入力に対する確実な単パルス化。
【課題を解決するための手段】
【０００７】  コンデンサー（１１）（特許公開２０１４−０８７０４０）に電圧を掛け、その放電により発生した電流、または、電圧（特許公開２０１３−１１８６０２）を、トランジスターを使って、パルス化する。【０００８】  トランジスター（７）のコレクターと正極（８）との間に繋がれた抵抗（４）の値をパルスが消えない程度に小さくする事によって、単パルスの立ち上がりがなだらがになる現象は改善された（図３）が、消費電流が多少、多くなった。【０００９】  コンデンサー（１１）をパルス化の為のトランジスター（７）機構に挟むことで、１μｓ（マイクロ秒）以上の単パルスの中継が確実に可能になった。【００１０】  その為には、本考案では、コンデンサー（１１）のパルスが入力される側に、正極（８）に繋がれた抵抗がコンデンサー（１１）のパルスが入力される側に、繋がれている必要があると思われる。【００１１】  本考案の場合、トランジスター（７）のコレクターと正極（８）との間に繋がれた抵抗（４）が、その役割をしている。【００１２】  本考案では、コンデンサー（１１）のパルスが入力される側に、負極（６）に繋がれた抵抗がコンデンサー（１１）のパルスが入力される側に、繋がれていると、何も繋がれていない方の端（２）を正極に触れさせても、パルスは発生しない。【００１３】  登録第３１９７１９４号の場合、負極に繋がれた抵抗がコンデンサーのパルスが入力される側に、繋がれていると、コンデンサーとその抵抗のつなぎ目に正極を触れさせると、パルスは発生する。
【考案の効果】
【００１４】  コンデンサー（１１）の値を適度に設定して、トランジスター（７）のコレクターと正極（８）との間に繋がれた抵抗（４）の値をパルスが消えない程度に小さくする事によって、単パルスの立ち上がりがなだらかになる現象は改善された（図３）。【００１５】  コンデンサー（１１）の前にも、パルス化の為のトランジスター（７）の機構（図１）を２つ設けることで、定電圧の入力に対しても、短いパルスに対しても、安定したパルス化を得られるようになった。
【図面の簡単な説明】
【００１６】
【図１】  考案の回路の一部。
【００１７】
【図２】  考案の全回路図。
【００１８】
【図３】  発生パルスの改善の様子の図。
【考案を実施するための形態】
【００１９】  どの様なパルス幅も、狭くするので、合図程度のパルスの中継器として、使用できる。
【００２０】  パルスを中継するので、パルスを発生する機器の監視器、保護器としても、使用できる。
【００２１】  パルスを中継するので、他の機器への合図器として、使用できる。
【実施例】
【００２２】  フォトトランジスターの発した信号を拾い、パルス化して、電子パルスカウンターに送ることで、フォトトランジスターの発した信号を数える事が出来た。
【産業上の利用の可能性】
【００２３】  遠心分離器の操作の為の処理信号の中継器として使用できる。
【符号の説明】
【００２４】１．  任意の値の抵抗
２．  端
３．  任意の値の抵抗
４．  任意の値の抵抗
５．  導線の接続する所
６．  負極
７．  トランジスター
８．  正極
９．  導線の接続する所
１０．端
１１．コンデンサー
【図１】
0003203670.tif 000003
【図２】
0003203670.tif 000004
【図３】
0003203670.tif 000005
【手続補正書】
【提出日】平成27年12月6日(2015.12.6)
【手続補正１】
【補正対象書類名】実用新案登録請求の範囲
【補正対象項目名】全文
【補正方法】変更
【補正の内容】
【実用新案登録請求の範囲】
【請求項１】
抵抗（１）の片方は、初め、何も繋がっていない導線の端（２）があって、抵抗（１）のもう片方は、抵抗（３）を介して負極（６）と繋がっていて、抵抗（１）と抵抗（３）が繋がっている所（５）は、トランジスター（７）のベースと繋がっており、このトランジスター（７）のエミッターは、負極（６）と繋がっており、このトランジスター（７）のコレクターは、抵抗（４）を介して、正極（８）と繋がっていて、さらに、このトランジスター（７）のコレクターと抵抗（４）とが繋がっている所（９）からは、一本の導線が出ていて、このトランジスター（７）のコレクターと繋がった導線の任意の部分の端（１０）までは、つまり、ここまでの回路で、構成されている回路はこの考案の一部をなし、初めの、片方が何も繋がっていない抵抗（１）の何も繋がっていない側の所の端（２）である端（２）と、コレクターと繋がっている方の端（１０）までの間を、構成していて、これと同じ回路で、この回路が、さらに、抵抗（１）とは繋がっていてコレクターと繋がっていない所の端（２）から繋がっており、この繋がった、ここまでの回路の端（１０）は、コンデンサー（１１）と繋がっていて、このコンデンサー（１１）のもう片方から出た導線は、初めの、片方が何も繋がっていない抵抗（１）の何も繋がっていない側の所の端（２）である端（２）と、コレクターと繋がっている方の端（１０）までの間を、構成していて、これと同じ回路で、この回路が、さらに、抵抗（１）とは繋がっていてコレクターと繋がっていない方の端（２）から繋がっており、この繋がった、ここまでの回路の端（１０）は、初めの、片方が何も繋がっていない抵抗（１）の何も繋がっていない側の所の端（２）である端（２）と、コレクターと繋がっている方の端（１０）までの間を、構成していて、これと同じ回路で、この回路が、さらに、繋がっていて、ここまでの回路の端（１０）である何も繋がっていない端（１０）が存在するパルス中継器。